(57)【要約】【課題】装着を容易に行うことができ、かつ装着後、顔のしわやたるみを矯正する微調整が容易なウィッグを提供する。【解決手段】ウィッグベースの側頭部６にウィッグベースの側頭部６の周縁部６１が頭頂部５に向けて伸縮する弾性部材９ａを備えるウィッグであり、弾性部材９ａが頭頂部５に向けて引き上げられることにより、顔のしわやたるみの矯正が可能になる。【選択図】  図２
2015178684.tif 000002
【特許請求の範囲】
【請求項１】
ウィッグベースと前記ウィッグベースに毛髪を備えたウィッグにおいて、
前記ウィッグベースの側頭部に、前記ウィッグベースの側頭部の周縁部が頭頂部に対して伸縮する弾性部材を備える、ウィッグ。
【請求項２】
ウィッグベースと前記ウィッグベースに毛髪を備えたウィッグにおいて、
前記ウィッグベースの側頭部に前記ウィッグベースの側頭部の周縁部が頭頂部に対して伸縮する弾性部材を備え、かつ、
前記弾性部材から離間して配設されるウィッグの留め具を備える、ウィッグ。
【請求項３】
ウィッグベースと前記ウィッグベースに毛髪を備えたウィッグにおいて、
前記ウィッグベースの側頭部に前記ウィッグベースの側頭部が頭頂部に対して伸縮する弾性部材を備え、かつ前記ウィッグベースの側頭部の周縁部近傍にウィッグの留め具を配設した、ウィッグ。
【発明の詳細な説明】
【技術分野】
【０００１】
本発明は顔のしわやたるみをリフトアップする機能を備えたウィッグに関する。
【背景技術】
【０００２】
ウィッグは、ウィッグベースとウィッグベースに植設された毛髪とからなり、主に頭髪の減少を視覚的にカバーする目的で用いられるが、顔のしわやたるみをリフトアップする美容具と組み合わせることにより、皮膚を引き伸ばし、顔の表情に若々しさを演出する機能を備えるものが提案されている（特許文献１）。
【０００３】
特許文献１は、両端にくし状固定具を備えた帯状の伸縮体をかつらのキャップネットに取付けた矯正機能付きかつらを開示する。この矯正機能付きかつらを装着するためには、かつらを頭髪に仮置きし、かつらの位置がずれないように支えながら、くし状固定具を伸長させた状態でこめかみ部分の自髪にくし状固定具を固定しつつ顔のしわやたるみを補整する煩雑な操作を必要とする。
【先行技術文献】
【特許文献】
【０００４】
【特許文献１】実用新案登録第３１６３２４０号公報
【発明の概要】
【発明が解決しようとする課題】
【０００５】
しかしながら、かつらの位置がずれないように支えながら、くし状固定具を固定する操作は煩雑であり、また、矯正機能付きかつらを装着した後、顔のしわやたるみを微調整する場合、最初の手順からやり直しする必要がある。
本発明は、装着を容易に行うことができ、かつ装着後、顔のしわやたるみを矯正する微調整が容易なウィッグを提供することを目的とする。
【課題を解決するための手段】
【０００６】
本発明のウィッグは、ウィッグベースと前記ウィッグベースに毛髪を備えたウィッグにおいて、前記ウィッグベースの側頭部に前記ウィッグベースの側頭部の少なくとも周縁部が頭頂部に対して伸縮する弾性部材を備える。
本発明は、また、前記ウィッグベースの側頭部に前記ウィッグベースの側頭部の少なくとも周縁部が頭頂部に対して伸縮する弾性部材を備え、かつ前記弾性部材を挟んで配設されるウィッグの留め具を備えるウィッグを提供する。
さらに、前記ウィッグベースの側頭部に前記ウィッグベースの側頭部が頭頂部に対して伸縮する弾性部材を備え、かつ前記ウィッグベースの側頭部の周縁部付近にウィッグの留め具を配設したウィッグを提供する。
【発明の効果】
【０００７】
本発明によって、装着を容易に行うことができ、かつウィッグ装着者の顔や首のウィッグ周辺のしわやたるみを低減し、微調整が容易なウィッグが提供される。
【図面の簡単な説明】
【０００８】
【図１】全頭用のウィッグを示す図である。
【図２】本発明の第一の実施形態のウィッグを示す図である。
【図３】本発明の第二の実施形態のウィッグを示す図である。
【図４】本発明の第三の実施形態のウィッグを示す図である。
【図５】本発明の第四の実施形態のウィッグを示す図である。
【図６】本発明の第四の実施形態に示す留め具の一例を示す図である。
【図７】本発明の第五の実施形態のウィッグを示す図である。
【発明を実施するための形態】
【０００９】
以下に、図面を参照して本発明の実施形態を説明する。
【００１０】
本発明を全頭用ウィッグを例に説明するが、本発明のウィッグは全頭用ウィッグに限定されるものではなく、頭部の一部を覆う部分ウィッグであってもよい。ウィッグは、図１に示すように、ウィッグベース２とウィッグベース２に植設された毛髪（図示しない）からなり、ウィッグベースは、合成樹脂製の人工皮膚又は網目状のネットから構成されている。なお、以下に示す実施形態において、ウィッグベースの構成を前頭部３、頭頂部５、側頭部６及び後頭部７の領域に分けて説明するが、必ずしもこれらの領域で分割されていることは必要ない。ここで、頭頂部５の領域は、天頂部を含むほか、一般に天頂部より若干後方に位置するつむじ部分或いは所謂ゴールデンポイントの領域も含む概念で用いている。また、側頭部６も厳密な範囲で規定される概念ではなく、前頭部３、頭頂部５及び後頭部７の領域以外の、前額髪際部、揉み上げ部、うなじに接する領域などを含み得る領域である。
図２乃至図５及び図７は、左側からみたウィッグベースの概観図である。
[実施形態１] 
本実施形態のウィッグ１ａは、図２に示すように、ウィッグベース２の側頭部６の一部分に開口を設け、開口に合わせて弾性部材９ａを接続したものである。ただし、開口は不可欠ではなく、ウィッグベースの側頭部を例えば二分割してその間に弾性部材９ａを配置してもよい。
なお、図にはウィッグ１ａの毛髪は図示していない。弾性部材９ａは、ウィッグベース２の側頭部６の輪郭を形成する外周縁部６１が頭頂部５に対して伸縮するものであればよく、伸縮性ネット、板状ゴム体を例として挙げることができる。図中の矢印は、弾性部材９ａにより、側頭部６の周縁部６１が伸縮する方向を示す。すなわち、周縁部６１は、ゴールデンポイント（つむじ）を含む頭頂部方向５に対して伸縮する。
【００１１】
一般にウィッグの装着は、まずウィッグのフロント部分を装着者の前頭部の適正な位置に合わせて頭部に固定した後、ウィッグ周辺部を固定し、最後にブラシでウィッグの毛髪と装着者の頭髪とをなじませる。
ウィッグを頭部に固定するための固定手段はどの様なものでもよく、例えば、装着者の頭髪の状態に合わせ、頭髪がある場合は、頭髪に対してウィッグをヘアピンなどの留め具で挟み込み固定する方法がある。留め具として、弾性体に櫛歯状突片が設けられているウィッグ用クリップをウィッグの周縁に配置し、その櫛歯状突片で頭髪をすくい取り、弾性体の反転力で頭髪を挟圧保持する。或いは、装着者の頭髪をかつらに直接結着して固定する方法もある。また、頭髪が薄い場合は、接着剤や両面テープなどを留め具として利用し、直接ウィッグを地肌に接着する方法であってもよい。
【００１２】
本実施形態のウィッグ１aを装着するときは、ウィッグベース２の裏面側のフロントライン部４、後頭部７、側頭部の周縁部６１など適宜位置に両面テープ、接着剤、クリップ又はヘアピンのような留め具（図示せず）を付着しておき、装着者の頭髪又は頭皮に対して該留め具を固着することで、かつらを頭部に装着する。なお、ウィッグベース２の裏面側とは、装着者の髪又は地肌に触れる面を意味する。
具体的には、先ず、ウィッグ１a裏面のフロントライン部４及び後頭部７の留め具を装着者の前頭部及び後頭部の頭皮又は頭髪に固定し、次いで、側頭部６を伸長した状態とし、側頭部の周縁部６１付近に付着した留め具を装着者の側頭部の毛髪又は頭皮に固定する。
【００１３】
このように、先ず、ウィッグを頭部の前頭部及び後頭部に固定装着したら、ウィッグベースの側頭部６を弾性部材９ａを伸長することで装着者の両側頭に固定する。したがって、装着時に、ウィッグの位置がずれないようにウィッグを支えることを必要せず、また、しわやたるみの状態を確認しながらウィッグの側頭部６の伸縮と、側頭部６の固定位置を調整してウィッグを装着することが可能になる。装着すると、ウィッグ側頭部６が留め具により固定した毛髪又は頭皮を介して頭頂部５に向けて引き上げられるので、それに伴って顔面が上方へ引き上げられる。とくに、前額髪際部からこめかみ部及び揉み上げ部に至る領域が上方へ引き上げられるようにウィッグの弾性部材９ａの位置を調整して配置することで、装着者の目じり付近や眉毛、さらには前額部のしわなどが引き上げられ、目じり周辺のしわ、たるみの矯正に効果的である。
【００１４】
[実施形態２] 
本実施形態２のウィッグ１ｂは、図３に示すように、ウィッグベース２を前頭部３、頭頂部５及び後頭部７を含む頭頂部側領域８と側頭部６とからなるネット部材を、帯状の弾性部材９ｂで縫合して連結したものである。ただし、ウィッグ１ｂに取り付けた毛髪は図示していない。弾性部材９ｂは、ウィッグベース２の側頭部６の周縁部６１が頭頂部５に向けて伸縮する。図中の矢印は、側頭部の周縁部６１が伸縮する方向を示す。この例では、弾性部材９ｂが側頭部の全長にわたって弧状に配置されているので、ウィッグ装着者の前額髪際部からもみあげ部及びうなじにかけた側頭部全体が上方、すなわち頭頂部側へ引き上げられる。
実施形態２のウィッグでも実施形態１と同様、装着時には、ウィッグベース２の前頭部のフロントライン部及び後頭部７と、側頭部の周縁部６１とに両面テープ、接着剤、クリップまたはヘアピンのような留め具を該ウィッグベース２の裏面に付着しておき、先ず、フロントラインを合わせてウィッグを前頭部側から被せて留め具で固着し、さらにウィッグ内面を頭に密着させながら頭頂部から後頭部側を留め具で固着する。次に、ウィッグの左右両側頭部６を下側へ引っ張りながら、弾性部材９ｂを伸長させて十分展張させた状態で、両側頭部の周縁近傍に付着した留め具でこめかみ付近の頭髪を係合させて頭髪に固着する。このようにしてウィッグを装着することで、弾性部材９ｂの上方への収縮力により、両側頭部の周縁近傍で留め具により係合された頭髪が頭頂部側へ引っ張られることで、例えば装着者の額や目じり付近の領域などが上方へ引き上げられ、顔のしわやたるみを矯正することができる。
なお、弾性部材９ｂの伸縮力は毛髪に過度の引っ張り力を付与しないよう、適度の収縮力を付与し、締めつけ感も過度にならないよう調整することが望ましい。
【００１５】
[実施形態３]
実施形態３のウィッグ１ｃは、図４に示すように、ウィッグベース２の側頭部６を頭頂部側と周縁部側に２分割し、ウィッグベース２の外周縁部側の領域のすべてを弾性部材９ｃに変更し、頭頂部側に連結したものである。ただし、ウィッグ１ｃの毛髪は図示していない。
本実施形態では、ウィッグベース２の側頭部の外周縁部６１が頭頂部５に向けて伸縮する。図中の矢印は、側頭部の周縁部６１が伸縮する方向を示す。
実施形態１と同様、装着時には、適宜、ウィッグベース２のフロントライン部及び後頭部７と、側頭部の周縁部６１とに、両面テープ、接着剤、クリップまたはヘアピンのような留め具を付着して使用する。
【００１６】
[実施形態４]
実施形態４のウィッグ１ｄを図５に示す。実施形態４では、ウィッグ１ａの側頭部６に、留め具１０が弾性部材９ａを挟んで離間して設けられている。ただし、ウィッグ１ｄの毛髪は図示していない。
【００１７】
留め具１０は、例えば、柔軟性の板状物に櫛歯状の突片を設けたもののほか、弾性板状物に櫛歯状突片を設けたウィッグ用クリップを用いることができる。
図６に示す留め具１０は、柔軟性のある板状体１１に櫛歯状の突片１２が複数列設けられている。これらの突片１２は、板状体１１の長手方向に直交する方向に突出して全長にわたって２段に形成されている。これらの突片１２は、該板状体１１から斜め上方に向けて突出するよう整列しており、ウィッグを装着したとき、頭髪に埋没させて頭髪を絡ませ得る程度の突片長さを有している。なお、図６に示す留め具１０は、板状体１１と突片１２とを樹脂等で一体成形して得ることができるが、ゴム材で形成すると、滑り摩擦力が向上するので、頭髪への固着力が増すと共に、上方への滑りも抑えることができ、有利である。また、留め具１０の板状体１１自体を弾性力を有するよう弾性部材で構成し、この留め具１０を側頭部に配置することで、装着時に上方への引張力が生じ、これによってもしわやたるみを矯正することが可能になる。或いは、板状体１１の一部に別途、弾性部材を連結することによっても、上記効果を達成し得る。
【００１８】
留め具１０は、弾性部材９ａを挟んで離間して側頭部６内に適宜の長さで配置してもよい。留め具１０は、弾性部材９ａより距離をおいて配置することが好ましいい。図５では、側頭部６内に２つの留め具１０を配置した例を示すが、一方の留め具１０を後頭部７又は頭頂部５に配置し、他方の留め具１０を側頭部の周縁部６１に配置してもよい。
留め具１０により、ウィッグ１ｄが装着者の頭部に固定され、さらに、周縁部６１に配置した留め具１０で装着者のこめかみ周辺の頭髪をしっかり固定することで、ウィッグ周縁より内面側に配置している弾性部材９ａにより上方への引張力（図４の矢印方向）を付与すれば、前額部や目じりなどの顔面のこめかみ付近が上方へ引っ張り上げられ、しわやたるみを矯正することが可能になる。
【００１９】
本実施形態のウィッグ１ｄを装着するときは、ウィッグ１ｄの後頭部又は頭頂部の留め具１０を装着者の後頭部又は頭頂部の毛髪に固定した後、側頭部６を伸長した状態で側頭部６の留め具１０を装着者の側頭部の毛髪に固定する。側頭部６を伸長した状態で側頭部６を固定することにより、ウィッグ１ｄの装着後、弾性部材９ａの収縮により、周縁部６が側頭部６内の留め具１０に向けて引っ張り上げられるため、前額部や目じりなどの顔面のこめかみ付近が上方へ引っ張り上げられ、しわやたるみを矯正することが可能になる。  なお、ウィッグ１ｄの固定を確実に行うために、フロントライン部４にも留め具１０を配置すると有利である。
【００２０】
実施形態１のウィッグ１aと同様、ウィッグの位置がずれないように支えることを必要せず、また、しわやたるみの状態を確認しながら側頭部６の伸縮と、側頭部６の固定位置を調整してウィッグを装着することが可能になる。装着後、側頭部６が頭頂部５に向けて引き上げられるので、特に、目、眉毛が引き上げ及び目じり周辺のしわ、たわみの矯正に効果的である。
【００２１】
[実施形態５]
本実施形態のウィッグ１eを図７に示す。ただし、ウィッグ１eの毛髪は図示していない。図７では、実施形態３のウィッグ１cの頭頂部５と周縁部６１に留め具１０が設けられている。なお頭頂部５の留め具１０を後頭部７に設けてもよい。
留め具１０により、ウィッグ１ｅが装着者の頭部に固定され、さらに、周縁部６１に配置した留め具１０で装着者のこめかみ周辺の頭髪をしっかり固定することで、弾性部材９ｃにより上方への引張力（図４の矢印方向）を付与すれば、前額部や目じりなどの顔面のこめかみ付近が上方へ引っ張り上げられ、しわやたるみを矯正することが可能になる。
【００２２】
本実施形態のウィッグ１ｅを装着するときは、実施形態４のウィッグ１ｄと同様に、ウィッグ１ｅの後頭部又は頭頂部の留め具１０を装着者の後頭部又は頭頂部の毛髪に固定した後、側頭部６を伸長した状態で側頭部６の留め具１０を装着者の側頭部の毛髪に固定する。
側頭部６を伸長した状態で側頭部６を固定することにより、ウィッグ１ｅの装着後、弾性部材９ｃの収縮により、周縁部６が頭頂部５内の留め具１０に向けて引っ張り上げられるため、前額部や目じりなどの顔面のこめかみ付近が上方へ引っ張り上げられ、しわやたるみを矯正することが可能になる。
【符号の説明】
【００２３】
１ａ〜１ｅ  ウィッグ
２          ウィッグベース
３          前頭部
４          フロントライン部
５          頭頂部
６          側頭部
６１        周縁部
７          後頭部
８          頭頂部側領域
９ａ〜９ｃ  弾性部材
１０        留め具
１１        板状物
１２        突片
【図１】
2015178684.tif 000003
【図２】
2015178684.tif 000004
【図３】
2015178684.tif 000005
【図４】
2015178684.tif 000006
【図５】
2015178684.tif 000007
【図６】
2015178684.tif 000008
【図７】
2015178684.tif 000009